(57)【要約】【課題】簡易な構造で、かつ簡易な動作によって前枠を外枠に回動可能に連結する遊技機用ヒンジ装置を提供する。【解決手段】ヒンジ装置１は、前枠に設けられる支軸３ｂと、外枠に設けられる軸受２と、軸受２に回動可能に設けられる回動部材４とを有している。軸受２は、支軸３ｂが挿入される挿入口２ａと、挿入口２ａから円弧状に延出する案内溝２ｂとを有している。回動部材４は、挿入口２ａから挿入された支軸３ｂを受入れる受部４ｂを有し、受部４ｂに受入れた支軸３ｂを案内溝２ｂに沿って移動させることで支軸３ｂとともに軸受２に対して回動する。そして回動部材４と軸受２の間には、受部４ｂが案内溝２ｂの端部に位置した際に回動部材４を軸受２にロックして支軸３ｂを軸受２に対して回動可能に位置保持するロック機構９が設けられている。【選択図】図３
2008206643.tif 000002
【特許請求の範囲】
【請求項１】
遊技島に設置される外枠と遊技盤が取付けられる前枠とを回動可能に連結する遊技機用ヒンジ装置であって、
前記外枠と前記前枠のいずれか一方に設けられる支軸と、いずれか他方に設けられる軸受と、前記軸受に回動可能に設けられる回動部材とを有し、
前記軸受は、前記支軸が挿入される挿入口と、その挿入口から円弧状に延出する案内溝とを有し、
前記回動部材は、前記挿入口から挿入された前記支軸を受入れる受部を有し、前記受部に受入れた前記支軸を前記案内溝に沿って移動させることで前記支軸とともに前記軸受に対して回動し、
前記回動部材と前記軸受の間には、前記支軸が前記案内溝の端部に位置した際に前記回動部材を前記軸受にロックして前記支軸を前記軸受に対して回動可能に位置保持するロック機構が設けられていることを特徴とする遊技機用ヒンジ装置。
【請求項２】
請求項１に記載の遊技機用ヒンジ装置であって、
ロック機構は、回動部材と軸受のいずれか一方に一体に形成された弾性爪と、いずれか他方に一体に形成された係合部とを有し、前記回動部材を前記軸受に対し回動させることで前記弾性爪が弾性変形して前記係合部に係合する構成になっていることを特徴とする遊技機用ヒンジ装置。
【請求項３】
請求項１または２に記載の遊技機用ヒンジ装置であって、
回動部材と軸受の間には、受部を挿入口に対応させた位置において、前記回動部材を前記軸受に位置保持する位置決め機構が設けられており、
前記位置決め機構は、前記回動部材と前記軸受のいずれか一方に一体に形成された凸部と、いずれか他方に一体に形成された保持部とを有し、前記保持部に前記凸部が受入れられることで前記回動部材を前記軸受に位置保持する構成になっていることを特徴とする遊技機用ヒンジ装置。
【発明の詳細な説明】
【技術分野】
【０００１】
本発明は、遊技機の外枠と前枠とを回動可能に連結する遊技機用ヒンジ装置に関する。
【背景技術】
【０００２】
パチンコ機等の遊技機は、遊技島に設置される外枠と、遊技盤が取付けられる前枠と、外枠と前枠を回動可能に連結するヒンジ装置を有している。ヒンジ装置は、外枠と前枠の左下部同士を回動可能に連結する下部ヒンジと、左上部同士を回動可能に連結する上部ヒンジを有している（特許文献１，２参照）。前枠は、先ず左下部を下部ヒンジによって外枠に連結させた後に、左上部が上部ヒンジによって外枠に連結される。
【０００３】
上部ヒンジは、前枠に設けられる支軸と、外枠に取付けられる軸受を有している。軸受には、軸受に対して傾動するロック部材と、ロック部材を付勢するばねが設けられている。軸受には、支軸が挿入される挿入口が形成されており、挿入口から支軸が挿入され、その支軸によってロック部材がばねに抗して回動され、ロック部材と軸受の間に形成された案内路に支軸が挿入される。そして案内路に沿って支軸が軸受に形成された受部に到達すると、ロック部材がばねによって元の位置に回動する。これにより案内路が塞がれて、支軸が軸受の受部に位置保持される。したがって従来の上部ヒンジは、ロック部材を付勢するばねが必要な複雑な構造になっていた。しかもロック部材は、ばねに抗して回動し、かつばねによって元の位置に回動する複雑な動作をする。
【特許文献１】特開２００４−１９４７２７号公報
【特許文献２】特開２００５−１５５２１５号公報
【発明の開示】
【発明が解決しようとする課題】
【０００４】
そこで本発明は、簡易な構造で、かつ簡易な動作によって前枠を外枠に回動可能に連結する遊技機用ヒンジ装置を提供することを課題とする。
【課題を解決するための手段】
【０００５】
前記課題を達成するために本発明は、各請求項に記載の通りの構成を備える遊技機用ヒンジ装置であることを特徴とする。請求項１に記載の発明によると、外枠と前枠のいずれか一方に設けられる支軸と、いずれか他方に設けられる軸受と、軸受に回動可能に設けられる回動部材とを有している。軸受は、支軸が挿入される挿入口と、その挿入口から円弧状に延出する案内溝とを有している。回動部材は、挿入口から挿入された支軸を受入れる受部を有し、受部に受入れた支軸を案内溝に沿って移動させることで支軸とともに軸受に対して回動する。そして回動部材と軸受の間には、支軸が案内溝の端部に位置した際に回動部材を軸受にロックして支軸を軸受に対して回動可能に位置保持するロック機構が設けられている。
【０００６】
したがって支軸によって回動部材を回動させ、ロック機構によって回動部材をロックすることで、回動部材の受部に受入れられた支軸は、軸受に対して位置保持される。そのため本構成によると、回動部材等を付勢するばね等が不要であって、従来よりも簡易な構成になる。しかも回動部材をばねに抗して回動させたり、ばねによって回動部材を元の位置に戻すなどの複雑な動きも不要である。そのため従来よりも簡易な動きによって前枠を外枠に対して連結することができる。
【０００７】
請求項２に記載の発明によると、ロック機構は、回動部材と軸受のいずれか一方に一体に形成された弾性爪と、いずれか他方に一体に形成された係合部とを有している。そして回動部材を軸受に対し回動させることで弾性爪が弾性変形して係合部に係合する構成になっている。したがってロック機構は、回動部材と軸受に一体に形成された弾性爪と係合部によって構成されているために、部品点数を増やすことなく構成され得る。
【０００８】
請求項３に記載の発明によると、回動部材と軸受の間には、受部を挿入口に対応させた位置において、回動部材を軸受に位置保持する位置決め機構が設けられている。位置決め機構は、回動部材と軸受のいずれか一方に一体に形成された凸部と、いずれか他方に一体に形成された保持部とを有し、保持部に凸部が受入れられることで回動部材を軸受に位置保持する構成になっている。
【０００９】
したがって位置決め機構によって受部を挿入口に位置合わせすることで、支軸を容易に受部に挿入することができる。しかも位置決め機構は、回動部材と軸受に一体に形成された凸部と保持部によって構成されているために、部品点数を増やすことなく構成され得る。
【発明を実施するための最良の形態】
【００１０】
本発明の実施形態を図１〜６にしたがって説明する。図１に示すようにパチンコ機やスロット機などの遊技機１０は、外枠１１と前枠１２と、これらを回動可能に連結するヒンジ装置１を有している。
【００１１】
外枠１１は、遊技島に設置される部材であって、図１に示すように上下左右の枠部材１１ａ〜１１ｄと、枠部材１１ａ〜１１ｄを矩形状に連結する連結部材１１ｆ〜１１ｉと、左右の枠部材１１ｃ，１１ｄの下端部前面間に取付けられる幕板１１ｅを有している。そして幕板１１ｅの前面に、図示省略の樹脂製の幕板飾りが取付けられる。前枠１２は、木製または樹脂製などの板材であって中央部に開口窓１２ａを有している。そして前枠１２には、図示省略の遊技盤など、各種遊技機部品が取付けられる。
【００１２】
ヒンジ装置１は、図１に示すように外枠１１と前枠１２の左下部同士を回動可能に連結する下部ヒンジ１ｂと、左上部同士を回動可能に連結する上部ヒンジ１ａを有している。下部ヒンジ１ｂは、図１に示すように外枠１１に固定される固定部材５と、前枠１２に取付けられる可動部材６を有している。固定部材５は、左側の枠部材１１ｃに固定される垂直板部５ａと、幕板１１ｅの上面に固定される水平板部５ｂと、水平板部５ｂの先端にて上方に突出する支軸５ｃを有している。可動部材６は、孔６ａを有し、支軸５ｃの上方から孔６ａを支軸５ｃに挿通させることで、固定部材５に回動可能に取付けられる。
【００１３】
上部ヒンジ１ａは、図１に示すように前枠１２に取付けられる軸部材３と、外枠１１側に設けられる軸受２を有している。軸部材３は、金属製であって、前枠１２の左上面に固定される水平板部３ａと、水平板部３ａから上方に突出する円柱状の支軸３ｂを有している。
【００１４】
軸受２は、金属製であって図２に示すように連結部材１１ｆに一体に形成されている。軸受２は、連結部材１１ｆの前端部から前方に張出している。軸受２の右端縁には、挿入口２ａが形成されており、挿入口２ａから案内溝２ｂが延出している。案内溝２ｂは、手前側に円弧状に延出しており、案内溝２ｂの円弧中心となる位置には、回動軸７が挿入される孔２ｃが形成されている。回動軸７は、リベットであって、軸受２の下面に設置された回動部材４を軸受２に回動可能に取付ける。
【００１５】
回動部材４は、樹脂製であって図２に示すように略扇形である。扇円弧の中心となる位置には、回動軸７が挿入される軸孔４ａが形成されており、円弧一端寄りには、受部４ｂと凸部４ｆが形成されている。受部４ｂは、円弧外方に開口しており、支軸３ｂを受入れる構成になっている。したがって図３に示すように受部４ｂを挿入口２ａに対応させた位置にすることで、支軸３ｂが挿入口２ａを経て受部４ｂに挿入される。凸部４ｆは、図２（Ａ）に示すように円弧縁から径方向に突出しており、回動部材４が誤って半時計回りに回転された際に挿入口２ａに位置する。これにより軸受２が誤った位置に挿入されることを防止する。
【００１６】
回動部材４の軸受２の間には、図２に示すように位置決め機構８とロック機構９が形成されている。位置決め機構８は、回動部材４を図３に示す初期位置に位置決めする機構であって、凸部２ｅ（図２（Ｂ）参照）と、保持部４ｃ（図２（Ａ）参照）を有している。凸部２ｅは、軸受２の下面に一体に形成されており、回動部材４に向けて突出している。保持部４ｃは、回動部材４の一端部に貫通孔状に形成されている。保持部４ｃは、図５に示すように回動部材４を初期位置に位置した際に凸部２ｅを受入れて、回動部材４を初期位置に位置決めする。
【００１７】
ロック機構９は、回動部材４を図４に示すロック位置に保持する機構であって、図２に示すように弾性爪４ｄと係合部２ｄを有している。弾性爪４ｄは、回動部材４の一端部から片持ち梁状に延出しており、先端部に径方向外方に張出す鉤部を有している。係合部２ｄは、軸受２の側面に形成されており、窓を有している。弾性爪４ｄは、図６に示すように回動部材４をロック位置に位置した際に、弾性変形し、鉤部が係合部２ｄの窓部に突入し、係合部２ｄに係合する。これにより回動部材４がロック機構９によってロック位置に位置保持される。
【００１８】
図２（Ｂ）に示すように弾性爪４ｄには、解除レバー４ｅが一体に形成されている。解除レバー４ｅは、弾性爪４ｄから下方に延出し、図４に示すように軸受２の係合部２ｄの下方に突出している。したがって解除レバー４ｅを押して弾性爪４ｄを係合部２ｄから係止解除させることで、ロック機構９がロック解除される。かくして支軸３ｂを軸受２から取外すことができる。
【００１９】
前枠１２を外枠１１に取付ける場合は、先ず、図１に示すように前枠１２の可動部材６を外枠１１の固定部材５に組付ける。これにより前枠１２の左下部が下部ヒンジ１ｂによって外枠１１に組付けられる。次に、下部ヒンジ１ｂを中心に前枠１２を傾け、支軸３ｂを軸部材３の右側から近接させる。そして図５に示すように支軸３ｂを軸受２の挿入口２ａから挿入し、続いて回動部材４の受部４ｂに挿入する。
【００２０】
次に、前枠１２を手前に引き、図５，６に示すように支軸３ｂを回動部材４とともに軸受２に対して回動させる。これにより位置決め機構８が解除され、支軸３ｂが軸受２の案内溝２ｂに沿って移動する。そして回動部材４は、回動軸７を中心に回動し、ロック機構９によって軸受２に対してロックされる。その結果、支軸３ｂが案内溝２ｂの端部に回動可能に位置保持される。そして前枠１２は、支軸３ｂと、下部ヒンジ１ｂの支軸５ｃによって外枠１１に対して回動可能に支持される。
【００２１】
以上のようにしてヒンジ装置１が形成されている。すなわちヒンジ装置１は、図１，２に示すように前枠１２に設けられる支軸３ｂと、外枠１１に設けられる軸受２と、軸受２に回動可能に設けられる回動部材４とを有している。軸受２は、支軸３ｂが挿入される挿入口２ａと、挿入口２ａから円弧状に延出する案内溝２ｂとを有している。回動部材４は、挿入口２ａから挿入された支軸３ｂを受入れる受部４ｂを有し、受部４ｂに受入れた支軸３ｂを案内溝２ｂに沿って移動させることで支軸３ｂとともに軸受２に対して回動する。そして回動部材４と軸受２の間には、受部４ｂが案内溝２ｂの端部に位置した際に回動部材４を軸受２にロックして支軸３ｂを軸受２に対して回動可能に位置保持するロック機構９が設けられている。
【００２２】
したがって支軸３ｂによって回動部材４を回動させ、ロック機構９によって回動部材４をロックすることで、回動部材４の受部４ｂに受入れられた支軸３ｂは、軸受２に対して位置保持される。そのため本構成によると、回動部材４等を付勢するばね等が不要であって、従来よりも簡易な構成になる。しかも回動部材４をばねに抗して回動させたり、ばねによって回動部材を元の位置に戻すなどの複雑な動きも不要である。そのため従来よりも簡易な動きによって前枠１２を外枠１１に対して連結することができる。
【００２３】
またロック機構９は、図２に示すように回動部材４に一体に形成された弾性爪４ｄと、軸受２に一体に形成された係合部２ｄとを有している。そして回動部材４を軸受２に対し回動させることで弾性爪４ｄが弾性変形して係合部２ｄに係合する構成になっている。したがってロック機構９は、回動部材４と軸受２に一体に形成された弾性爪４ｄと係合部２ｄによって構成されているために、部品点数を増やすことなく構成され得る。
【００２４】
また回動部材４と軸受２の間には、図２に示すように受部４ｂを挿入口２ａに対応させた位置において、回動部材４を軸受２に位置保持する位置決め機構８が設けられている。位置決め機構８は、軸受２に一体に形成された凸部２ｅと、回動部材４に一体に形成された保持部４ｃとを有している。そして保持部４ｃに凸部２ｅが受入れられることで回動部材４を軸受２に位置保持する構成になっている。
【００２５】
したがって位置決め機構８によって受部４ｂを挿入口２ａに位置合わせすることで、図５に示すように支軸３ｂを容易に受部４ｂに挿入することができる。しかも位置決め機構８は、回動部材４と軸受２に一体に形成された凸部２ｅと保持部４ｃによって構成されているために、部品点数を増やすことなく構成され得る。
【００２６】
（他の実施の形態）
本発明は、上記実施の形態に限定されず、以下の形態等であっても良い。
（１）例えば上記実施の形態は、図１に示すように支軸３ｂが前枠１２側に設けられ、軸受２が外枠１１側に設けられていた。しかし支軸が外枠側に設けられ、軸受が前枠側に設けられる形態であっても良い。
（２）上記実施の形態に係るロック機構９は、図２に示すように弾性爪４ｄと係合部２ｄを有しており、弾性爪４ｄが回動部材４側に形成され、係合部２ｄが軸受２側に形成されていた。しかし弾性爪が軸受側に形成され、係合部が回動部材側に形成される形態であっても良い。
（３）上記実施の形態に係る位置決め機構８は、図２に示すように凸部２ｅと保持部４ｃを有しており、凸部２ｅが軸受２側に形成され、保持部４ｃが回動部材４側に形成されていた。しかし凸部が回動部材側に形成され、保持部が軸受側に形成されている形態であっても良い。
【図面の簡単な説明】
【００２７】
【図１】外枠と前枠の斜視図である。
【図２】上部ヒンジの分解斜視図である。
【図３】回動部材を初期位置にした際の上部ヒンジの斜視図である。
【図４】回動部材をロック位置にした際の上部ヒンジの斜視図である。
【図５】上部ヒンジを組付ける様子を示す上部ヒンジの上面一部断面図である。
【図６】上部ヒンジを組付けの様子を示す上部ヒンジの上面一部断面図である。
【符号の説明】
【００２８】
１・・・ヒンジ装置
１ａ・・・上部ヒンジ
１ｂ・・・下部ヒンジ
２・・・軸受
２ａ・・・挿入口
２ｂ・・・案内溝
２ｄ・・・係合部
２ｅ・・・凸部
３・・・軸部材
３ｂ・・・支軸
４・・・回動部材
４ｂ・・・受部
４ｃ・・・保持部
４ｄ・・・弾性爪
４ｅ・・・解除レバー
４ｆ・・・凸部
５・・・固定部材
６・・・可動部材
８・・・位置決め機構
９・・・ロック機構
１０・・・遊技機
１１・・・外枠
１２・・・前枠
【図１】
2008206643.tif 000003
【図２】
2008206643.tif 000004
【図３】
2008206643.tif 000005
【図４】
2008206643.tif 000006
【図５】
2008206643.tif 000007
【図６】
2008206643.tif 000008